(57)【要約】【課題】車両の前突に起因してフロアトンネル部に大きな荷重入力が生じた場合におけるバッテリなどの充電装置の保護性能を優れたものにすることが可能な車両構造を提供する。【解決手段】車両構造Ａは、フロアトンネル部３０の後部に、フロアクロスメンバ１との間に隙間を隔てた配置で後下がり状に傾斜した傾斜後端壁部３０ａが形成され、かつこの傾斜後端壁部３０ａの下端部は、インナメンバ５に接合されており、ブレース７の車両前後方向途中部分は、フロアクロスメンバ１の上部またはこの上部に固定された部材に第２の接合部Ｊ２を介して接合され、ブレース７の第１の接合部Ｊ１から第２の接合部Ｊ２に到る領域Ｓａは、フロアトンネル部３０の傾斜後端壁部３０ａに対してその上側に離間した配置に設けられている。【選択図】  図３
2020203586.tif 000002
【特許請求の範囲】
【請求項１】
車室のフロア部の前部に形成されているフロアトンネル部と、
前記フロア部上のうち、前記フロアトンネル部の車両後方側に位置して車幅方向に延びており、かつ前記フロア部の車幅方向両端部に接続されている左右一対のロッカの相互間に橋渡し接続されているフロアクロスメンバと、
前記フロア部上のうち、前記フロアクロスメンバよりも車両後方側の位置に搭載された充電装置と、
この充電装置の上側に位置して車両前後方向に延びており、かつ前部が前記フロアトンネル部に第１の接合部を介して接合されている一方、後部が前記充電装置よりも車両後方側に位置する車体構成部材に接合されているブレースと、
前記フロア部の下面部に接合され、かつ前記フロアトンネル部の基部の下面側の位置から車両後方側に延びるインナメンバと、
を備えている、車両構造であって、
前記フロアトンネル部の後部には、前記フロアクロスメンバとの間に隙間を隔てた配置で後下がり状に傾斜した傾斜後端壁部が形成され、かつこの傾斜後端壁部の下端部は、前記インナメンバに接合されており、
前記ブレースの車両前後方向途中部分は、前記フロアクロスメンバの上部またはこの上部に固定された部材に第２の接合部を介して接合され、前記ブレースの前記第１の接合部から前記第２の接合部に到る領域は、前記フロアトンネル部の前記傾斜後端壁部に対してその上側に離間した配置に設けられていることを特徴とする、車両構造。
【発明の詳細な説明】
【技術分野】
【０００１】
本発明は、バッテリなどの充電装置が車室内に搭載された車両構造に関する。
【背景技術】
【０００２】
車両構造の具体例として、特許文献１に記載の構造がある。
同文献に記載の車両構造においては、フロア部の車幅方向略中央部に、車両前後方向に延びるフロアトンネル部が形成されている。ただし、フロアトンネル部の途中箇所は、他の部分よりも高さが低い低トンネル部とされ、この低トンネル部上にバッテリが搭載されている。バッテリの上側には、バッテリよりも車両前方側部分と車両後方側部分とを連結するように前後方向に延びるブレースが設けられている。また、バッテリの車両前方側には、車幅方向に延びるフロアクロスメンバ（第１クロスメンバ１９）が設けられており、このフロアクロスメンバの車幅方向中央部には、フロアクロスメンバとフロアトンネル部とを接続する接続部材（同文献の符号３３の部材）が設けられている。
このような構成によれば、フロアトンネル部の低トンネル部を利用して、大型のバッテリを車室内に搭載することが可能である一方、ブレースおよびフロアクロスメンバの存在により、バッテリ搭載箇所の車体剛性を高めることが可能である。
【０００３】
しかしながら、従来においては、次に述べるように、解決すべき課題がある。
【０００４】
すなわち、前記従来技術においては、フロアトンネル部の低トンネル部上にバッテリを搭載しているが、この構造によれば、フロア部の非トンネル部上にバッテリを配置する場合と比較すると、バッテリの位置が高くなって車両の重心が高くなるため、車両の操安性の悪化を招く虞がある。これを解消する手段として、フロアトンネル部を、バッテリよりも車両前方側の領域のみに形成し、バッテリを非トンネル部上に搭載することが考えられる。
【０００５】
ただし、このような手段によれば、車両の前突が発生した場合には、車両前方側から車両前部に入力した衝突荷重を、フロアトンネル部によって受け止めることが難しくなり、前記衝突荷重の殆どが、ブレースおよびフロアクロスメンバに作用することとなる。このため、前記衝突荷重が大きい場合には、ブレースに加えて、フロアクロスメンバが車両後方側に大きく変形し、このフロアクロスメンバがバッテリに当接する虞がある。バッテリ保護の観点からすると、このようなことは極力防止することが要望される。
【０００６】
前記した不具合を防止する手段としては、ブレースやフロアクロスメンバの大型化・厚肉化を図ることが考えられるが、このような手段を採用したのでは、車両重量の増加や、製造コストの上昇を招く。
【先行技術文献】
【特許文献】
【０００７】
【特許文献１】特開２０１８−３０５１３号公報
【発明の概要】
【発明が解決しようとする課題】
【０００８】
本発明は、前記したような事情のもとで考え出されたものであり、車両の前突に起因してフロアトンネル部に大きな荷重入力が生じた場合におけるバッテリなどの充電装置の保護性能を優れたものにすることが可能な車両構造を提供することを、その課題としている。
【課題を解決するための手段】
【０００９】
上記の課題を解決するため、本発明では、次の技術的手段を講じている。
【００１０】
本発明により提供される車両構造は、車室のフロア部の前部に形成されているフロアトンネル部と、前記フロア部上のうち、前記フロアトンネル部の車両後方側に位置して車幅方向に延びており、かつ前記フロア部の車幅方向両端部に接続されている左右一対のロッカの相互間に橋渡し接続されているフロアクロスメンバと、前記フロア部上のうち、前記フロアクロスメンバよりも車両後方側の位置に搭載された充電装置と、この充電装置の上側に位置して車両前後方向に延びており、かつ前部が前記フロアトンネル部に第１の接合部を介して接合されている一方、後部が前記充電装置よりも車両後方側に位置する車体構成部材に接合されているブレースと、前記フロア部の下面部に接合され、かつ前記フロアトンネル部の基部の下面側の位置から車両後方側に延びるインナメンバと、を備えている、車両構造であって、前記フロアトンネル部の後部には、前記フロアクロスメンバとの間に隙間を隔てた配置で後下がり状に傾斜した傾斜後端壁部が形成され、かつこの傾斜後端壁部の下端部は、前記インナメンバに接合されており、前記ブレースの車両前後方向途中部分は、前記フロアクロスメンバの上部またはこの上部に固定された部材に第２の接合部を介して接合され、前記ブレースの前記第１の接合部から前記第２の接合部に到る領域は、前記フロアトンネル部の前記傾斜後端壁部に対してその上側に離間した配置に設けられていることを特徴としている。
【００１１】
このような構成によれば、次のような効果が得られる。
すなわち、車両の前突が発生し、車両前方側からフロアトンネル部に大きな荷重入力があった場合、この荷重は、ブレースの第１の接合部から第２の接合部に到る領域に伝達する力と、フロアトンネル部の傾斜後端壁部からインナメンバに伝達する力とに分散されることとなる。前記荷重がブレースやフロアクロスメンバに集中的に作用することを適切に回避し、インナメンバにも前記荷重を負担させることが可能である。その結果、車両の前突時において、フロアクロスメンバが大きく変形して充電装置に当接することを適切に防止または抑制し、充電装置の保護性能を高めることができる。
本発明によれば、前記従来技術と比較して、ブレースやフロアクロスメンバの厚肉化や大型化を図る必要はない。また、特殊な部材や大型の部材を新たに追加して用いる必要もない（インナメンバは、フロアトンネル部が設けられている車両においては、元々設けられているのが一般的である）。したがって、重量の増加や、製造コストの上昇を抑制することもできる。
【００１２】
本発明のその他の特徴および利点は、添付図面を参照して以下に行なう発明の実施の形態の説明から、より明らかになるであろう。
【図面の簡単な説明】
【００１３】
【図１】本発明に係る車両構造の一例を示す要部概略斜視図である。
【図２】図１のバッテリを省略した状態の要部分解概略斜視図である。
【図３】（ａ）は、図１のバッテリを搭載した状態の要部側面断面図であり、（ｂ）は、（ａ）とは異なる位置における図１のバッテリを搭載した状態の要部側面断面図である。
【図４】（ａ）は、図３（ａ）のIVa−IVa断面図であり、（ｂ）は、図３（ａ）のIVb−IVb断面図である。
【発明を実施するための形態】
【００１４】
以下、本発明の好ましい実施の形態について、図面を参照して具体的に説明する。
【００１５】
図１および図２に示す車両構造Ａは、車室のフロア部３（フロントフロア部）、左右一対のロッカ８、第１および第２のフロアクロスメンバ１，２、バッテリ６、ブレース７、補助ブレース７Ａ、および左右一対のインナメンバ５を備えている。
【００１６】
フロア部３は、金属板製のフロアパネル３ａを用いて構成されており、車室前部のダッシュパネル３９の下部もフロア部３の一部を構成している。フロア部３の前部の車幅方向中央部には、上方に部分的に膨出したフロアトンネル部３０が形成されている。図面においては、フロアトンネル部３０がフロアパネル３ａによって一体形成されている状態に示されているが、これとは異なり、フロアパネル３ａとは別部材を用いてフロアトンネル部３０を形成し、かつフロアパネル３ａに溶接した構成とされていてもよい。フロアトンネル部３０の後部には、傾斜後端壁部３０ａが設けられているが、この点については後述する。
【００１７】
左右一対のインナメンバ５は、図４（ａ）によく表れているように、フロア部３の下面部に接合され、かつフロアトンネル部３０の左右の基部３０ｂの下面側の位置から車両後方側に延びる部材である。インナメンバ５は、フロアトンネル部３０よりも車両後方側の位置においては、図４（ｂ）に示すように、たとえば断面ハット状である。図面において、符号４は、左右一対のサイドメンバであり、これら一対のサイドメンバ４は、インナメンバ５の車幅方向両外方側に位置し、車両の前端部近傍から後端部近傍にわたって一連に延びる部材である。
【００１８】
第１および第２のフロアクロスメンバ１，２は、フロア部３の上面側のうち、フロアトンネル部３０よりも車両後方側に設けられ、かつ左右一対のロッカ８の相互間に橋渡し接続された状態で車幅方向に延びている。一対のロッカ８は、車体の左右両側部の下部に位置して車両前後方向に延びる部材であり、たとえばドア用開口部の下縁部などを構成する。第１および第２のフロアクロスメンバ１，２は、たとえば図３に示すように、断面ハット状部材を用いて構成されており、フロア部３の上面部に溶接されている。
第１のフロアクロスメンバ１は、本発明でいうフロアクロスメンバ、つまりフロアトンネル部との関係において本発明が意図する構成を有するフロアクロスメンバの具体例に相当する。これに対し、第２のフロアクロスメンバ２は、それには相当しない。
【００１９】
バッテリ６は、本発明でいう充電装置の一例に相当する。本実施形態の構造Ａが適用される車両は、たとえばハイブリッド車、あるいは電気自動車であり、バッテリ６は、リチウムイオン二次電池や、ニッケル水素二次電池などである。
バッテリ６は、フロア部３上のうち、第１および第２のフロアクロスメンバ１，２の相互間の位置に搭載され、かつ不図示のブラケットなどを用いて固定されている。図面では、省略しているが、第１および第２のフロアクロスメンバ１，２上には、たとえばフロントシート（座席）が跨がった状態で設置され、バッテリ６は、このフロントシートの下方スペースを利用して設置される。
【００２０】
ブレース７は、フロアトンネル部３０の補強、およびバッテリ６の保護を図るための部材であり、たとえば金属板をプレス加工して構成されている。このブレース７は、図２に示すように、下向き開口の断面略コ字状の基本形態を有し、上壁部７０、この上壁部７０の左右両側から下向きに突出する側壁部７１、およびこの側壁部７１の下端部に繋がった略水平状のフランジ部７２を備えている（図４も参照）。
【００２１】
このブレース７は、バッテリ６の上側に位置して車両前後方向に延びるように設定された上で、第１ないし第３の接合部Ｊ１〜Ｊ３（図３では、第１の接合部Ｊ１に網点模様を付している）を介して、フロアトンネル部３０、第１および第２のフロアクロスメンバ１，２に直接または間接的に接続されている。第１ないし第３の接合部Ｊ１〜Ｊ３は、ボル
ト・ナットなどの締結部材９１〜９３を用いた締結手段、スポット溶接やアーク溶接などの溶接手段、またはこれらを併用した手段のいずれを採用した構成であってもよい。
【００２２】
第１の接合部Ｊ１は、ブレース７の前部をフロアトンネル部３０の上部寄りの部分に接続している。第２および第３の接合部Ｊ２，Ｊ３は、ブレース７の前後方向途中部分、およびブレース７の後部を、第１および第２のフロアクロスメンバ１，２の上側に取付けられた第１および第２の固定ブラケット１１，２１の上部に接合している。第２の固定ブラケット２１および第２のフロアクロスメンバ２は、本発明でいう「充電装置よりも車両後方側に位置する車体構成部材」の一例に相当する。
補助ブレース７Ａは、第２の固定ブラケット２１を補強するための部材であり、第２の固定ブケラット２１とその車両後方側に設けられた第３の固定ブラケット９８との相互間に橋渡し接続されている。図３においては、第２の固定ブラケット２１をさらに補強するための補強部材９７（他の図面では省略）がフロア部３上に設けられているが、このような構成を採用することも可能である。
【００２３】
図３によく表れているように、フロアトンネル部３０の後部は、第１のフロアクロスメンバ１とは隙間を隔てた配置とされており、この後部には、適当な傾斜角α２で後下がり状に傾斜した傾斜後端壁部３０ａが形成されている。この傾斜後端壁部３０ａの下端部は、インナメンバ５に溶接されている。この溶接は、間接的な溶接であってもよく、たとえばフロアトンネル部３０がフロアパネル３ａとは別体である場合においては、フロアトンネル部３０の傾斜後端壁部３０ａの下端部を、フロアパネル３ａに溶接し、このフロアパネル３ａを介してインナメンバ５に間接的に溶接した構成としてもよい。また、傾斜後端壁部３０ａの下端部を、第１のフロアクロスメンバ１の下部フランジ部１０に溶接し、この下部フランジ部１０を介してインナメンバ５に間接的に溶接した構成としてもよい。
【００２４】
ブレース７の第１の接合部Ｊ１から第２の接合部Ｊ２に到る領域Ｓａ（ブレース７の下部）は、フロアトンネル部３０の傾斜後端壁部３０ａに対し、その上側に離間した配置に設けられている。また、前記した領域Ｓａは、適度な傾斜角α１で後上がり状に傾斜した構成とされている。
【００２５】
次に、前記した車両構造Ａの作用について説明する。
【００２６】
車両の前突が発生し、図３（ｂ）に示すように、車両前方側からフロアトンネル部３０に大きな荷重Ｆが入力した場合、この荷重Ｆは、ブレース７に入力する力Ｆ１（第１の接合部Ｊ１から第２の接合部Ｊ２に向かう力）と、フロアトンネル部３０の傾斜後端壁部３０ａを介してインナメンバ５に到達する力Ｆ２とに分散される。このような荷重分散作用により、ブレース７を支持する第１のフロアクロスメンバ１が車両後方側に大きく変形または変位しないこととなり、第１のフロアクロスメンバ１がバッテリ６に当接することを適切に防止することができる。力Ｆ２は、インナメンバ５によって受けられるが、インナメンバ５は高強度部材であり、かつ車両前後方向に延びる部材であるため、インナメンバ５に力Ｆ２を負担させることによって、車体に大きな変形を生じさせる虞もない、または少ない。このようなことから、バッテリ６の保護性能を高めることが可能である。
【００２７】
荷重Ｆを前記した２つの力Ｆ１，Ｆ２に分散させる場合、その比率は、前記した領域Ｓａおよび傾斜後端壁部３０ａの傾斜角α１，α２をどのようにするかによって適宜に設定することが可能である。したがって、車体の強度設計も容易なものとなる。
【００２８】
本実施形態においては、補助ブレース７Ａや補強部材９７をさらに設けることにより、第２のフロアクロスメンバ２を補強し、ブレース７に入力した力Ｆ１を、それらの部材によって適切に受け止めることも可能である。第２のフロアクロスメンバ２によるブレース
７の適切な支持状態が解除されると、ブレース７がバッテリ６に当接する虞があるが、このような虞も適切に回避することが可能であり、バッテリ６の保護性能を一層優れたものとすることができる。
【００２９】
その他、本実施形態の車両構造Ａによれば、フロアトンネル部３０に入力した荷重Ｆの多くを、ブレース７によって受けさせる必要がないため、ブレース７、ならびにこのブレース７を支持する第１および第２のフロアクロスメンバ１，２の厚肉・大型化を図る必要をなくすことができる。したがって、車両重量の増加や、製造コストの上昇を抑制することも可能である。
【００３０】
本発明は、上述した実施形態の内容に限定されない。本発明に係る車両構造の各部の具体的な構成は、本発明の意図する範囲内において種々に設計変更自在である。
ブレース７の第１の接合部Ｊ１から第２の接合部Ｊ２に到る領域Ｓａや、フロアトンネル部３０の後部の傾斜後端壁部３０ａの具体的な傾斜角α１，α２などは限定されない。
ブレースをフロアクロスメンバに接合する手段として、上述した実施形態の固定ブラケットを用いることなく、それらを直接接合してもよい。
本発明でいう充電装置は、バッテリに限定されず、たとえばキャパシタも含まれる。
【符号の説明】
【００３１】
Ａ  車両構造
Ｊ１，Ｊ２  第１および第２の接合部
Ｓａ  ブレースの第１の接合部から第２の接合部に到る領域
１  第１のフロアクロスメンバ（フロアクロスメンバ）
３  フロア部
３０  フロアトンネル部
３０ａ  傾斜後端壁部
５  インナメンバ
６  バッテリ（充電装置）
７  ブレース
８  ロッカ
【図１】
2020203586.tif 000003
【図２】
2020203586.tif 000004
【図３】
2020203586.tif 000005
【図４】
2020203586.tif 000006